【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
自装置の内部の電子生物の名前もしくは画像と、「自装置の内部の電子生物と他の電子生物生存装置の内部の他の電子生物との間のコミュニケーション（情報の伝達）のために使用され、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する又は伝達しようとする『伝達情報』を、前記伝達情報等記録手段に記録されている伝達情報の複数の候補の中から、「後記の電波等の発信の前に行われる、ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記「電波もしくは赤外線」は、名前もしくは画像を示す情報と『伝達情報』を示す情報とを一緒に乗せた若しくは一体化したものでもよいし、名前もしくは画像を示す情報と『伝達情報』を示す情報とを別々に乗せた若しくは一体化したものでもよい）を、それが近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物の名前もしくは画像及び前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２】
自装置の内部の電子生物の名前もしくは画像を記録しておく画像等記録手段と、
「自装置の内部の電子生物と他の電子生物生存装置の内部の他の電子生物との間のコミュニケーション（情報の伝達）のために使用される、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する又は伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、それが近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（前記「電波もしくは赤外線」は、『伝達情報』を示す情報を前記名前もしくは画像を示す情報と一緒に乗せた若しくは一体化したものでもよいし、『伝達情報』を示す情報を前記名前もしくは画像を示す情報とは別々に乗せた若しくは一体化したものでもよい）を、近距離無線により、それが近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、前記第１電波等発信手段により発信される電波等と対応付けて、発信する第２電波等発信手段（前記第１電波等発信手段と同一のハードウェア若しくはソフトウェアにより実現されるものであってもよい）と、
他の電子生物を生存させている他の電子生物生存装置から近距離無線により発信された前記電波もしくは赤外線（前記「電波もしくは赤外線」は、前記名前もしくは画像を示す情報と『伝達情報』を示す情報とを一緒に乗せた若しくは一体化したものでもよいし、前記名前もしくは画像を示す情報と『伝達情報』を示す情報とを別々に乗せた若しくは一体化したものでもよい）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェアにより実現されるものであってもよい）と、
を備えたことを特徴とする、ユーザーに携帯され若しくはユーザーの身体に装着されており、その内部に電子生物を生存させている携帯型電子生物生存装置。
【請求項３】
自装置の内部の電子生物の名前もしくは画像と、「自装置の内部の電子生物と他の電子生物生存装置の内部の他の電子生物との間のコミュニケーション（情報の伝達）のために使用される、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する又は伝達しようとする『伝達情報』を、前記伝達情報等記録手段に記録されている伝達情報の複数の候補の中から、自動的に又は「後記の電波等の発信の前に行われる、ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記「電波もしくは赤外線」は、前記名前もしくは画像を示す情報と『伝達情報』を示す情報とを一緒に乗せた若しくは一体化したものでもよいし、前記名前もしくは画像を示す情報と『伝達情報』を示す情報とを別々に乗せた若しくは一体化したものでもよい）を、それが近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物の名前もしくは画像及び前記他の電子生物からの伝達情報を、画面又は音声により出力する出力手段と、
を備えたことを特徴とする、ユーザーに携帯され若しくはユーザーの身体に装着されており、その内部に電子生物を生存させている携帯型電子生物生存装置。
【請求項４】
自装置の内部の電子生物の名前もしくは画像を記録しておく画像等記録手段と、
「自装置の内部の電子生物と他の電子生物生存装置の内部の他の電子生物との間のコミュニケーション（情報の伝達）のために使用され、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する又は伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、それが近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（前記「電波もしくは赤外線」は、『伝達情報』を示す情報を前記名前もしくは画像を示す情報と一緒に乗せた若しくは一体化したものでもよいし、『伝達情報』を示す情報を前記名前もしくは画像を示す情報とは別々に乗せた若しくは一体化したものでもよい）を、それが近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、前記第１電波等発信手段により発信される電波等と対応付けて、近距離無線により発信する第２電波等発信手段（前記第１電波等発信手段と同一のハードウェア若しくはソフトウェアにより実現されるものであってもよい）と、
他の電子生物を生存させている他の電子生物生存装置から近距離無線により発信された前記電波もしくは赤外線（前記「電波もしくは赤外線」は、前記名前もしくは画像を示す情報と『伝達情報』を示す情報とを一緒に乗せた若しくは一体化したものでもよいし、前記名前もしくは画像を示す情報と『伝達情報』を示す情報とを別々に乗せた若しくは一体化したものでもよい）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェアにより実現されるものであってもよい）と、
を備えたことを特徴とする、ユーザーに携帯され若しくはユーザーの身体に装着されており、その内部に電子生物を生存させている携帯型電子生物生存装置。
【請求項５】
自装置の内部の電子生物の名前もしくは画像と、「自装置の内部の電子生物と他の電子生物生存装置の内部の他の電子生物との間のコミュニケーション（情報の伝達）のために使用される、自装置の内部の電子生物が伝達の主体となっており他の電子生物生存装置の内部の他の電子生物が伝達の相手方となっている伝達情報の複数の候補」とを、記録しておく伝達情報等記録手段と、
他の電子生物生存装置の内部の他の電子生物に伝達する又は伝達しようとする『伝達情報』を、前記伝達情報等記録手段に記録されている伝達情報の複数の候補の中から、自動的に又は「後記の電波等の発信の前に行われる、ユーザーによる操作もしくは設定」に基づいて、選択する伝達情報選択手段と、
「前記伝達情報等記録手段に記録されている自ら（電子生物）の名前もしくは画像を示す情報と前記伝達情報選択手段により選択された『伝達情報』を示す情報とを乗せた若しくは一体化した、電波もしくは赤外線」（前記「電波もしくは赤外線」は、『伝達情報』を示す情報と前記名前もしくは画像を示す情報とを一緒に乗せた若しくは一体化したものでもよいし、『伝達情報』を示す情報と前記名前もしくは画像を示す情報とを別々に乗せた若しくは一体化したものでもよい）を、それが近距離無線がカバーする範囲内の近傍に存在する他の携帯型電子生物生存装置に直接に(インターネットなどの公衆通信網を介することなく)届くように、ユーザーによる事前の操作もしくは設定に基づいて、予め決められた時間毎に、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物の名前もしくは画像及び前記他の電子生物からの伝達情報を、画面又は音声により出力する出力手段と、
を備えたことを特徴とする、ユーザーに携帯され若しくはユーザーの身体に装着されており、その内部に電子生物を生存させている携帯型電子生物生存装置。
【請求項６】
自装置の内部の電子生物の名前もしくは画像を記録しておく画像等記録手段と、
「自装置の内部の電子生物と他の電子生物生存装置の内部の他の電子生物との間のコミュニケーション（情報の伝達）のために使用される、自装置の内部の電子生物が伝達の主体となっており他の電子生物生存装置の内部の他の電子生物が伝達の相手方となっている伝達情報の複数の候補」を、記録しておく伝達情報記録手段（前記画像等記録手段と同一のハードウェアにより実現されるものであってもよい）と、
他の電子生物生存装置の内部の他の電子生物に伝達する又は伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
前記画像等記録手段に記録されている自ら（電子生物）の名前もしくは画像を示す情報を乗せた若しくは一体化した電波もしくは赤外線を、それが近距離無線がカバーする範囲内の近傍に存在する他の電子生物生存装置に直接に(インターネットなどの公衆通信網を介することなく)届くように、ユーザーによる事前の操作もしくは設定に基づいて、予め決められた時間毎に、自動的に（「発信時におけるユーザーによる特別な操作」を介することなく）、近距離無線により発信する第１電波等発信手段と、
前記伝達情報選択手段により選択された『伝達情報』を示す情報を乗せた若しくは一体化した電波もしくは赤外線（前記「電波もしくは赤外線」は、『伝達情報』を示す情報を前記名前もしくは画像を示す情報と一緒に乗せた若しくは一体化したものでもよいし、『伝達情報』を示す情報を前記名前もしくは画像を示す情報と別々に乗せた若しくは一体化したものでもよい）を、それが近距離無線がカバーする範囲内の近傍に存在する他の電子生物生存装置に直接に(インターネットなどの公衆通信網を介することなく)届くように、ユーザーによる事前の操作もしくは設定に基づいて、予め決められた時間毎に、自動的に（「発信時におけるユーザーによる特別な操作」を介することなく）、前記第１電波等発信手段により発信される電波等と対応付けて、近距離無線により発信する第２電波等発信手段（前記第１電波等発信手段と同一のハードウェア若しくはソフトウェアにより実現されるものであってもよい）と、
他の電子生物を生存させている他の電子生物生存装置から近距離無線により発信された前記電波もしくは赤外線（前記「電波もしくは赤外線」は、前記名前もしくは画像を示す情報と『伝達情報』を示す情報とを一緒に乗せた若しくは一体化したものでもよいし、前記名前もしくは画像を示す情報と『伝達情報』を示す情報とを別々に乗せた若しくは一体化したものでもよい）を、近距離無線により直接に(インターネットなどの公衆通信網を介することなく)受信する電波等受信手段と、
前記電波等受信手段により受信された電波等に基づいて、前記他の電子生物の名前もしくは画像を、画面又は音声により出力する第１出力手段と、
前記電波等受信手段により受信された電波等に基づいて、前記他の電子生物からの『伝達情報』を、画面又は音声により出力する第２出力手段（前記第１出力手段と同一のハードウェアにより実現されるものであってもよい）と、
を備えたことを特徴とする、ユーザーに携帯され若しくはユーザーの身体に装着されており、その内部に電子生物を生存させている携帯型電子生物生存装置。
【請求項７】
請求項１から６までのいずれかにおいて、
前記発信される「前記名前もしくは画像を示す情報及び／又は前記伝達情報を示す情報を乗せた若しくは一体化した電波もしくは赤外線」は、前記発信側の電子生物又はその電子生物を生存させる装置の識別データと対応付けられたものであり、
他の電子生物からの名前もしくは画像を示す情報と他の電子生物からの伝達情報を示す情報と他の電子生物の識別データとが前記電波等受信手段により受信されたことに対応して、「自ら（電子生物）の名前もしくは画像を示す情報と自ら（電子生物）を伝達主体とする伝達情報を示す情報とを乗せた若しくは一体化した、電波もしくは赤外線」（前記「電波もしくは赤外線」は、前記名前もしくは画像を示す情報と『伝達情報』を示す情報とを一緒に乗せた若しくは一体化したものでもよいし、前記名前もしくは画像を示す情報と『伝達情報』を示す情報とを別々に乗せた若しくは一体化したものでもよい）を、それが近距離無線がカバーする範囲内の近傍に存在する前記識別データに対応する他の電子生物生存装置に直接に(インターネットなどの公衆通信網を介することなく)届くように、自動的に（「発信時におけるユーザーによる特別な操作」を介することなく）、近距離無線により発信する返信手段（前記発信手段と同一のハードウェアもしくはソフトウェアにより実現されるものであってもよい）、
を備えたことを特徴とする、内部に電子生物を生存させている電子生物生存装置。
【請求項８】
「少なくとも、（ａ）或る電子生物が伝達主体となっており他の電子生物が伝達の相手方となっているメッセージ（この項において『メッセージ』とは、『或る電子生物から他の電子生物に伝達する、或る電子生物の思想、意思、もしくは感情を含んでいる情報』をいい、その出力形態は鳴き声でもよい。）、又は、（ｂ）対戦型ゲームの一つであるジャンケンゲームにおけるグー・チョキ・パーの情報などのような『電子生物の思想、意思、もしくは感情そのものは含んでいない事実情報』であって自ら（電子生物）が他の電子生物に伝達する事実情報、を含む伝達情報であって、
自装置の内部の電子生物と他の電子生物生存装置の内部の他の電子生物との間のコミュニケーション（情報の伝達）のために使用され、自装置の内部の電子生物が伝達の主体となっており他の電子生物生存装置の内部の他の電子生物が伝達の相手方となっている伝達情報」を示すデータを、
近傍のエリアに居る他の電子生物生存装置に受信されるように、無線で発信する伝達情報発信手段と、
近傍のエリアにある他の電子生物生存装置から無線で発信された「電子生物からの所定の伝達情報」を示すデータを受信する伝達情報受信手段と、
前記伝達情報受信手段により受信されたデータに基づいて、前記他の電子生物からの『伝達情報』を、画面又は音声により出力する出力手段と、
を含むことを特徴とする、ユーザーに携帯され若しくはユーザーの身体に装着されており、その内部に電子生物を生存させている携帯型電子生物生存装置。